(57)【要約】【課題】  既存の吸引車をそのまま利用でき、更に、その吸引車の汲み上げ最大深度よりも深い場所からの汚水等の汲み上げを効率良く行うことができる手段を提供する。【解決手段】  汚水等溜まり１０８と吸引車１０２とを繋ぐ吸引ホース１１０と、この吸引ホース１１０の途中に配置した非自吸型固形物ポンプ１２０と、吸引ホース１１０における非自吸型固形物ポンプ１２０と吸引車１０２の間の位置に接続したサブホース１１２と、このサブホース１１２に接続されてサブホース１１２内に加圧した空気を送り込むことが可能なエアコンプレッサー１０６と、を備える。非自吸型固形物ポンプ１２０は、吸引車１０２の汲み上げ最大深度前後の深さ位置に配置する。【選択図】図１
2020084630.tif 000002
【特許請求の範囲】
【請求項１】
汚水等溜まりと吸引車とを繋ぐ吸引ホースと、
当該吸引ホースの途中に配置した固形物ポンプと、
前記吸引ホースにおける前記固形物ポンプと前記吸引車の間の位置に接続したサブホースと、
当該サブホースに接続され、当該サブホース内に加圧した空気を送り込むことが可能なエアコンプレッサーと、を備える
ことを特徴とする地下深部汚水等汲み上げシステム。
【請求項２】
請求項１において、
前記固形物ポンプは、非自吸型の固形物ポンプである
ことを特徴とする地下深部汚水等汲み上げシステム。
【請求項３】
請求項１または２において、
前記固形物ポンプは、前記吸引車の汲み上げ最大深度前後の深さ位置に配置する
ことを特徴とする地下深部汚水等汲み上げシステム。
【請求項４】
請求項１〜３のいずれかにおいて、
前記サブホースは、前記固形物ポンプに近い場所に接続される
ことを特徴とする地下深部汚水等汲み上げシステム。
【発明の詳細な説明】
【技術分野】
【０００１】
本発明は、貯まった汚水等の汲みあげに関し、特に地下深部に貯まった汚水・汚泥等の汲み上げに関する。
【背景技術】
【０００２】
従来から、吸引車（特許文献１参照）を利用して地下に貯まった汚水や汚泥（以下単に「汚水等」という。）の汲み上げは一般に広く行われている。
【先行技術文献】
【特許文献】
【０００３】
【特許文献１】特開２０１８−７１２１０号公報
【発明の概要】
【発明が解決しようとする課題】
【０００４】
どれだけ地下深部の汚水等を汲み上げることができるかについては、吸引車の吸引能力に頼っているのが現状である。例えば、汲み上げ最大深度が４０ｍの吸引車であれば、それ以上深い（深部にある）汚水等を汲み上げることは困難であるか、若しくは、可能であったとしても非常に時間のかかる非効率な作業となる。
【０００５】
一方、吸引車の吸引能力を更に向上させようと思うと、吸引車自体が大きくなり、それに伴いコストや維持費も跳ね上げる。
【０００６】
そこで本発明は、こういった問題点を解決するべくなされたものであって、既存の吸引車をそのまま利用でき、更に、その吸引車の汲み上げ最大深度よりも深い場所からの汚水等の汲み上げを可能とし更に効率良く行うことができる手段を提供するものである。
【課題を解決するための手段】
【０００７】
上記課題を解決するべく、本願発明は、汚水等溜まりと吸引車とを繋ぐ吸引ホースと、当該吸引ホースの途中に配置した固形物ポンプと、前記吸引ホースにおける前記固形物ポンプと前記吸引車の間の位置に接続したサブホースと、当該サブホースに接続され、当該サブホース内に加圧した空気を送り込むことが可能なエアコンプレッサーと、を備えることを特徴とする。なお、「固形物ポンプ」とは、液体の中に固形物が混ざっていてもそのまま吐出させることが可能なポンプのである。
【０００８】
このように構成したことによって、既存の吸引車をそのまま利用でき、更に、その吸引車の汲み上げ最大深度よりも深い場所からの汚水等の汲み上げを効率良く行うことが可能となった。即ち、吸引車の吸引能力に固形物ポンプの吐出力を組み合わせることによって、システム全体としての汲み上げ能力の向上を図っているのである。更に、サブホースによって、吸引ホース内（固形物ポンプと吸引車の間）に加圧することができるため、吸引ホース内に過度な真空状態が発生して吸引能力が急減することを防止している。
【０００９】
また、前記固形物ポンプは、非自吸型の固形物ポンプであることを特徴とする。
【００１０】
本来固形物ポンプは、吐き出す力はあるものの吸う力がないため、固形物ポンプから先の吸引ホース内（固形物ポンプと汚水等溜まりの間に位置する吸引ホース内）に空気（エア）が入っていると汚水等を吸引することが不可能である。しかし本発明のように、吸引車と組み合わせることによって、吸引車側から発生する吸引力が固形物ポンプを介してその先の吸引ホース側にまで伝わり、吸引ホース内のエア抜き作業等を別途行わずとも、汚水等を吸引し始めることが可能となっている。
【００１１】
また、前記固形物ポンプは、前記吸引車の汲み上げ最大深度前後の深さ位置に配置するのが望ましい。
【００１２】
この位置に配置することによって、最大限深い場所の汚水等を汲み上げることが可能となる。
【００１３】
また、前記サブホースは、前記固形物ポンプに近い場所に接続されるのが望ましい。
【００１４】
この位置にサブホースを接続して加圧することによって、吸引ホース内のどの位置に真空が発生したとしても効率的に加圧でき、吸引力の低下を効果的に抑えることが可能となっている。
【発明の効果】
【００１５】
本発明を適用することで、既存の吸引車をそのまま利用でき、更に、その吸引車の汲み上げ最大深度よりも深い場所からの汚水等の汲み上げを効率良く行うことができる。
【図面の簡単な説明】
【００１６】
【図１】本発明の実施形態の一例である  地下深部汚水等汲み上げシステムの全体構成を示した図である。
【発明を実施するための形態】
【００１７】
以下、添付図面を参照しつつ、本発明の実施形態の一例である地下深部汚水等汲み上げシステム１００について説明を加える。なお、図面理解容易の為、各部の大きさや寸法を誇張して表現している部分があり、実際の製品等と必ずしも一致しない部分があることを付記しておく。また各図面は符号の向きに見るものとし、当該向きを基本に上下左右、手前、奥と表現する。
【００１８】
〈地下深部汚水等汲み上げシステムの構成〉
図１に示しているように、本発明の実施形態の一例として示す地下深部汚水等汲み上げシステム１００は、地下にある汚水等溜まり１０８と地上に配置される吸引車１０２を吸引ホース１１０で繋ぎ、その吸引ホース１１０の途中に非自吸型固形物ポンプ１２０を配置する。なお、「非自吸型」とは、ポンプ内に入っている汚水等を吐き出す力は備えるものの、固形物ポンプ１２０自身で汚水等をポンプ内に吸い込む力を有しないという意味である。また、固形物にも対応するポンプであるため、汚水等に固形物が含まれていても問題なく搬送することが可能である。また、この固形物ポンプ１２０は、吸引車１０２の汲み上げ最大深度（本実施形態においては地下約４０ｍの深さ）に配置される。なお、汚水溜まり１０８の深さは、更に１０ｍ深い地下約５０ｍの位置となっている。
【００１９】
固形物ポンプ１２０は、本実施形態においては、地上に配置された発電機１０６から電力の供給を受けて作動する。もちろん発電機１０６が地上に設置されている事は本発明においては重要ではなく、固形物ポンプ１２０と同じように地下に配置されていてもよい。
【００２０】
吸引ホース１１０の途中であって、固形物ポンプ１２０と吸引車１０２の間には、地上に配置されたエアコンプレッサー１０４から繋がるサブホース１１２が接続される。即ち、吸引ホース１１０内に、加圧された空気を送り込むことが可能となっている。また、この接続位置αは、固形物ポンプ１２０の出口に近い位置が望ましいが、あまりに近い位置では固形物ポンプ１２０の吐出を阻害する可能性があるため、出口直近の位置ではなく、少しだけ間を空けた位置が望ましい。この接続位置は使用するポンプ、吸引車、ホース等の種類やその組み合わせによって最適位置は変わり得るものである。
【００２１】
このように、本発明の地下深部汚水等汲み上げシステム１００は、その組み合わせに特徴があるものの、構成自体は極めてシンプルとなっている。
【００２２】
〈地下深部汚水等汲み上げシステムの作用・機能〉
汲み上げ開始当初、吸引ホース１１０内には当然ながら汚水等は入っておらず空の状態である。よって、その状態で固形物ポンプ１２０のみを作動させたとしても、固形物ポンプ１２０自身は全く吸引力を有しないため、汚水等溜まり１０８にある汚水等が吸引ホース１１０に吸引されることはない。
【００２３】
一方、吸引車１０２のみを作動させても、汚水等溜まり１０８は、汲み上げ最大深度よりも深い位置に存在するため、同様に汚水等を吸い上げることは不可能である。
【００２４】
しかしながら、吸引車１０２と固形物ポンプ１２０を同時に（厳密に同時でなくとも多少の時間差があってもよい。）作動させると、汚水等溜まり１０８の汚水等を勢いよく吸引し始める。
【００２５】
また、吸引車１０２と固形物ポンプ１２０の作動に併せて、エアコンプレッサー１０４を作動させ、吸引ホース１１０内に所定量の加圧空気を送り込む。送り込む空気量は、使用する固形物ポンプ１２０、吸引車１０２、吸引ホース１１０等の種類やその組み合わせによって変わり得るものである。
【００２６】
上記説明した通り、本願発明に係る地下深部汚水等汲み上げシステム１００は、汚水等溜まり１０８と吸引車１０２とを繋ぐ吸引ホース１１０と、この吸引ホース１１０の途中に配置した固形物ポンプ１２０と、吸引ホース１１０における固形物ポンプ１２０と吸引車１０２の間の位置に接続したサブホース１１２と、このサブホース１１２に接続され、サブホース１１２内に加圧した空気を送り込むことが可能なエアコンプレッサー１０６と、を備えて構成している。
【００２７】
このように構成したことによって、既存の吸引車１０２をそのまま利用でき、更に、その吸引車１０２の汲み上げ最大深度よりも深い場所からの汚水等の汲み上げを効率良く行うことが可能となった。即ち、吸引車１０２の吸引能力に非自吸型固形物ポンプ１２０の吐出力を組み合わせることによって、システム１００全体としての汲み上げ能力の向上を図っているのである。更に、サブホース１１２によって、吸引ホース１１０内（非自吸型固形物ポンプ１２０と吸引車１０２の間）に加圧することができるため、吸引ホース１１０内に過度な真空状態が発生して吸引能力が急減することを防止している。
【００２８】
非自吸型固形物ポンプ１２０は、吐き出す力はあるものの吸う力がないため、非自吸型固形物ポンプ１２０から先の吸引ホース１１０内（非自吸型固形物ポンプ１２０と汚水等溜まり１０８の間に位置する吸引ホース１１０内）に空気（エア）が入っていると汚水等を吸引することが不可能である。しかし本発明のように、吸引車１０２と組み合わせることによって、吸引車１０２側から発生する吸引力が非自吸型固形物ポンプ１２０を介してその先の吸引ホース１１０側にまで伝わり、ポンプの吐出力との相互作用によって、吸引ホース１１０内のエア抜き作業等を別途行わずとも、汚水等を吸引し始めることが可能となったのである。
【００２９】
また、非自吸型固形物ポンプ１２０は、吸引車１０２の汲み上げ最大深度前後の深さ位置に配置するのが望ましい。この位置に配置することによって、最大限深い場所の汚水等を汲み上げることが可能となる。
【００３０】
また、サブホース１１２は、非自吸型固形物ポンプ１２０の出口（吐出口）に近い場所に接続されるのが望ましい。この位置にサブホース１１２を接続して加圧することによって、吸引ホース１１０内のどの位置に真空が発生したとしても効率的に加圧でき、吸引力の低下を効果的に抑えることが可能となっている。
【符号の説明】
【００３１】
１００・・・地下深部汚水等汲み上げシステム
１０２・・・吸引車
１０４・・・エアコンプレッサー
１０６・・・発電機
１０８・・・汚水等溜まり
１１０・・・吸引ホース
１１２・・・サブホース
１２０・・・固形物ポンプ
α・・・サブホース接続位置
【図１】
2020084630.tif 000003
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
汚水等溜まりと吸引車とを繋ぐ吸引ホースと、
当該吸引ホースの途中に配置した固形物ポンプと、
前記吸引ホースにおける前記固形物ポンプと前記吸引車の間の位置に接続したサブホースと、
当該サブホースに接続され、当該サブホース内に加圧した空気を送り込むことが可能なエアコンプレッサーと、を備え、
前記固形物ポンプは、非自吸型の固形物ポンプである
ことを特徴とする地下深部汚水等汲み上げシステム。
【請求項２】
汚水等溜まりと吸引車とを繋ぐ吸引ホースと、
当該吸引ホースの途中に配置した固形物ポンプと、
前記吸引ホースにおける前記固形物ポンプと前記吸引車の間の位置に接続したサブホースと、
当該サブホースに接続され、当該サブホース内に加圧した空気を送り込むことが可能なエアコンプレッサーと、を備え、
前記固形物ポンプは、前記吸引車の汲み上げ最大深度前後の深さ位置に配置する
ことを特徴とする地下深部汚水等汲み上げシステム。
【請求項３】
請求項１または２において、
前記サブホースは、前記固形物ポンプに近い場所に接続される
ことを特徴とする地下深部汚水等汲み上げシステム。